(57)【要約】【課題】戸外に飼育される犬猫等の愛玩動物が使用する動物舎内に於いて、厳しい冬の寒さから動物の体を守り、健康で、より快適な住環境を提供することを課題とする。【解決手段】動物舎内壁部に、発泡スチロール製の断熱材を取り付け、その表面を柔らかく保温性のある布で覆うことによって、冬季の寒さから動物の体を守り、また、その断熱材を取り付け、取り外しが容易な構造にすることによって、一つの動物舎で、すべての季節に対応することが出来る動物舎を提供する。【選択図】  図１
2006180857.tif 000002
【特許請求の範囲】
【請求項１】
犬猫等の愛玩動物が使用する動物舎であって、動物舎内部の床面、内壁、天井部に、防寒用の断熱材が取り付けられていることを特徴とする動物舎
【請求項２】
犬猫等の愛玩動物が使用する動物舎であって、動物舎内部の床面、内壁、天井部の、防寒用の断熱材の取り付け、取り外しが容易にできることを特徴とする動物舎
【請求項３】
犬猫等の愛玩動物が使用する動物舎であって、屋根部が本体から容易に取り付け、取り外しをすることができる動物舎
【請求項４】
犬猫等の愛玩動物が使用する動物舎であって、外側の上部開口になる本体の上部開口から、上部開口の内壁用の断熱材が挿入され、その上に断熱材の天井がのせられ、断熱材の天井の上に屋根部が被せられ、屋根部と本体は、とめ具で固定することのできる、組み立て式の動物舎。
【請求項５】
犬猫等の愛玩動物が使用する動物舎であって、断熱材の天井を取り外すことによって、屋根部下の、前面、後面に、風通し部ができる動物舎。
【発明の詳細な説明】
【技術分野】
【０００１】  本発明は、犬猫等の愛玩動物が使用する動物舎内に於いて、厳しい冬の寒さから動物を守る為に、内壁に断熱材を取り付けた動物舎に関するものである。
【背景技術】
【０００２】  従来、特許文献１に記載のごとく、入り口部分に風雨除けを吊り下げ、入り口から冷気が入るのを防ぐものはあった。【０００３】
【特許文献１】実開平０７−０２５７５２
【発明の開示】
【発明が解決しようとする課題】
【０００４】  従来の、入り口からの冷気を防ぐだけでは、厳しい冬季の寒さから動物を守るには不十分であった。【０００５】  本発明は、これらの欠点を解決するためになされたものであり、厳しい冬の寒さから動物の体を守り、動物に、健康で快適な住環境を提供するものである。
【課題を解決するための手段】
【０００６】  上記目的を達成する為、動物舎内部に発泡スチロール製の断熱材（３）を取り付けた。【０００７】  また、季節により断熱材を取り付け、取り外しが容易にできる構造にする為、屋根部（１）と本体（２）を取り外し可能にし、断熱材の床面、内壁（３）、保温性を有する布、天井の断熱材（４）、入り口の風雨除けを、取り付け、取り外しが容易にできるようにした（図１）。
【発明の効果】
【０００８】  本発明には、次のような効果が認められる。【０００９】  発泡スチロール製の断熱材の床面、内壁（３）及び、発泡スチロール製の天井の断熱材（４）の存在により、動物舎内部は、動物の体温のみであっても十分に温まる。【００１０】  また、床面、内壁（３）を構成している発泡スチロールの室内側表面を、柔らかで保温性のある布で覆うことによって、より快適な動物舎内部となった。【００１１】  また、この保温性を有する布は、取り外しが可能である為、洗濯をして、常に清潔な状態で使用することができる。【００１２】  また、本体（２）と屋根部（１）の間に介在されている天井の断熱材（４）を取り外すことによって、屋根部の下の前面及び、後面に風通し部（６）が出現し、夏季であっても動物は快適に過ごすことができる。【００１３】  これらの効果により、戸外に飼育される動物は、どの季節であっても快適に暮らすことが可能となった。
【発明を実施するための最良の形態】
【００１４】  以下、本発明の実施の形態を図１〜図４に基づいて説明する。【００１５】  動物舎（１０）は、本体（２）の上部に屋根部（１）を有し、その屋根部（１）は、本体（２）からの取り外しが可能であり（図１）、屋根部（１）と本体（２）は、とめ具（５）によって固定される（図３）。【００１６】  屋根部（１）は、上に突をなす形をしていて、本体（２）の前方、後方に突き出ている。【００１７】  動物舎（１０）の、本体（２）の床面（２Ａ）外壁（２Ｂ）入り口（２Ｃ）の上方（１０１）は、全面開口し、本体（２）の上方の開口から、取り付け、取り外しが可能な、発泡スチロール製の断熱材（３）が挿入できる。【００１８】  断熱材（３）は、床面（３Ａ）周囲の壁部（３Ｂ）入り口（３Ｃ）から成り、上方（１０２）は、全面開口し、上方の開口から保温性のある布が挿入でき、発泡スチロール製の断熱材（３）の室内側表面は、柔らかな素材の保温性を有する布で覆われる（図２）。【００１９】  保温性を有する布は、床面（４Ａ）壁部（４Ｂ）入り口（４Ｃ）から成り、上方（１０３）は、全面開口している。【００２０】  動物舎（１０）は、本体（２）と屋根部（１）の間に天井を構成する断熱材（４）を介在することができる。【００２１】  天井の断熱材（４）は、屋根部（１）に習う突面を持っている。【００２２】  本体の断熱材（３）と保温性のある布は、天井にはめ込まれる断熱材（４）によって、上から押さえられて固定される（図２）。【００２３】  （１０１）、（１０２）、（１０３）の開口部は、天井の断熱材（４）で塞がれる。【００２４】  本体（２）の入り口部に、取り付け、取り外しが可能で、透明な材料でなる風雨除けシートを吊るす。【００２５】  冬季以外は、発泡スチロール製の断熱材（３）、保温性を有する布、発泡スチロール製の天井（４）は、取り外すことができる（図１）。【００２６】  発泡スチロール製の天井（４）を外すことによって、本体（２）の上部であって、屋根部（１）の下部の前面及び後面に、天井の断熱材（４）の横断面に対応する風通し部（６）が出現する（図３）。
【産業上の利用可能性】
【００２７】  以上に述べたとおり、この製品は、動物を愛する飼育者にとっては魅力的なものであり、市場での需要は大きいと考えられる為、関係する業種の産業上の利用可能性は高いと思われる。
【図面の簡単な説明】
【００２８】
【図１】  本発明の分解斜視図である。
【図２】  本発明の本体側面断面図である。
【図３】  本発明の正面図である。
【図４】  本発明の側面図である。
【符号の説明】
【００２９】  １  屋根部
２  本体
３  本体の断熱材
４  天井の断熱材
５  とめ具
６  冬季以外は風通し部
【図１】
2006180857.tif 000003
【図２】
2006180857.tif 000004
【図３】
2006180857.tif 000005
【図４】
2006180857.tif 000006
【手続補正書】
【提出日】平成17年6月28日(2005.6.28)
【手続補正１】
【補正対象書類名】特許請求の範囲
【補正対象項目名】全文
【補正方法】変更
【補正の内容】
【特許請求の範囲】
【請求項１】
犬猫等の愛玩動物が使用する動物舎であって、外側の上部開口になる本体の上部開口から、本体の床面と内壁に添設される断熱材が挿入され、その上に断熱材の天井がのせられ、断熱材の天井の上に屋根部が被せられ、屋根部と本体は、とめ具で固定することのできる、組み立て式の動物舎。
【請求項２】
犬猫等の愛玩動物が使用する動物舎であって、屋根部が本体から容易に取り付け、取り外しをすることができる請求項１に記載の組み立て式の動物舎。
【請求項３】
犬猫等の愛玩動物が使用する動物舎であって、断熱材を取り外すことによって、屋根部下の前後面から、本体の上部開口に連なる風通し部ができる請求項１に記載の組み立て式の動物舎。
【手続補正書】
【提出日】平成17年11月5日(2005.11.5)
【手続補正１】
【補正対象書類名】特許請求の範囲
【補正対象項目名】全文
【補正方法】変更
【補正の内容】
【特許請求の範囲】
【請求項１】
犬猫等の愛玩動物が使用する動物舎であって、外側の上部開口になる本体の上部開口から、本体の床面と内壁に添設される断熱材が挿入され、その上に断熱材の天井がのせられ、断熱材の天井の上に屋根部が被せられ、屋根部と本体は、とめ具で固定することのできる、組み立て式の動物舎。
【請求項２】
犬猫等の愛玩動物が使用する動物舎であって、屋根部が本体から容易に取り付け、取り外しをすることができる請求項１に記載の組み立て式の動物舎。
【請求項３】
犬猫等の愛玩動物が使用する動物舎であって、断熱材の天井を取り外すことによって、屋根部下の前後面から、本体の上部開口に連なる風通し部ができる請求項１に記載の組み立て式の動物舎。